(57)【要約】  【課題】  携帯電話機への受信メールに着信があったとしても、同メール着信を同携帯電話機に対応したＰＨＳに通知することができない。  【解決手段】  携帯電話機２と有線接続可能とする携帯電話アダプタ４と、ＰＨＳ６を無線接続する内線基地局７と、携帯電話アダプタ及び内線基地局を有線接続する構内交換機１４と、携帯電話アダプタとＬＡＮ接続すると共に、内線基地局及び構内交換機を通じてＰＨＳ６からブラウジングアクセス可能とするメッセージＧＷ９とを有し、携帯電話アダプタは、携帯電話機への受信メールの着信を検出すると、ＬＡＮ１１を通じて、受信メールをメッセージＧＷに伝送する機能を有し、メッセージＧＷ９は、携帯電話アダプタから受信メールを検出すると、同受信メール内容を受信メッセージとしてメッセージ記憶部５２に記憶すると共に、同受信メールの着信を携帯電話機のユーザのＰＨＳ６に通知するようにした。【選択図】  図１
2005184072.tif 000002
【特許請求の範囲】
【請求項１】
携帯電話機と有線接続可能とする携帯電話アダプタと、内線無線端末を無線接続する内線基地局と、これら携帯電話アダプタ及び内線基地局を有線接続する構内交換機と、前記携帯電話アダプタとＬＡＮ接続すると共に、前記内線基地局及び構内交換機を通じて前記内線無線端末からブラウジングアクセス可能とするメッセージ配信装置とを有し、
前記携帯電話アダプタは、
前記携帯電話機への受信メールの着信を検出すると、前記ＬＡＮを通じて、前記受信メールを前記メッセージ配信装置に伝送する機能を有し、
前記メッセージ配信装置は、
前記携帯電話アダプタを通じて前記携帯電話機への受信メールを検出すると、同受信メール内容を受信メッセージとしてメッセージ記憶手段に記憶すると共に、前記構内交換機及び前記内線基地局を通じて、前記受信メッセージに関わる携帯電話機に対応した内線無線端末にメール着信通知を通知する機能と、
前記内線基地局及び前記構内交換機を通じて、前記内線無線端末からのブラウジングアクセスを検出すると、この内線無線端末にて、前記メッセージ記憶手段に記憶済みの前記メール着信通知に関わる受信メッセージとのブラウジング上のアクセスを可能にした機能を有することを特徴とするメッセージ配信システム。
【請求項２】
前記メッセージ配信装置は、
前記ブラウジング上で、前記内線無線端末にて前記メッセージ記憶手段に記憶済みの受信メッセージとアクセスすることで返信メッセージを作成し、この作成した返信メッセージを前記メッセージ記憶手段に記憶する機能と、
このメッセージ記憶手段に返信メッセージを記憶すると、前記ＬＡＮを通じて、前記返信メッセージを前記携帯電話アダプタに伝送する機能とを有し、
前記携帯電話アダプタは、
前記メッセージ配信装置からの返信メッセージを受信すると、この返信メッセージに関わる携帯電話機に、同返信メッセージを返信メールとして発信させる機能を有することを特徴とする請求項１記載のメッセージ配信システム。
【請求項３】
前記メッセージ配信装置は、
前記内線無線端末からのブラウジングアクセスを検出すると、この内線無線端末にて前記ブラウジング上で、宛先メールアドレスを含む送信メッセージを作成可能とし、この送信メッセージを前記メッセージ記憶手段に記憶する機能と、
このメッセージ記憶手段に送信メッセージを記憶すると、前記ＬＡＮを通じて、前記送信メッセージを前記携帯電話アダプタに伝送する機能とを有し、
前記携帯電話アダプタは、
前記メッセージ配信装置からの送信メッセージを受信すると、この送信メッセージに関わる携帯電話機に、同送信メッセージに含まれる宛先メールアドレスに基づいて、同送信メッセージを送信メールとして発信させる機能を有することを特徴とする請求項１又は２記載のメッセージ配信システム。
【請求項４】
前記メッセージ配信装置は、
前記携帯電話機毎に有線接続する、前記携帯電話アダプタ内のポート毎に付与されたポート番号と、前記内線無線端末番号毎に付与された内線番号とで、前記携帯電話機及び前記内線無線端末を対応付けて記憶管理する機能を有することを特徴とする請求項１，２又は３記載のメッセージ配信システム。
【請求項５】
携帯電話機を有線接続可能とし、この携帯電話機との音声通信を伝送する音声通信伝送手段を有する携帯電話アダプタであって、
前記携帯電話機への受信メールの着信を検出する受信メール着信検出手段と、
この受信メール着信検出手段にて前記携帯電話機への受信メールの着信を検出すると、この検出した受信メールを他の通信端末に伝送する受信メール伝送手段とを有することを特徴とする携帯電話アダプタ。
【請求項６】
前記他の通信端末からの送信メッセージを受信する送信メッセージ受信手段と、
この送信メッセージ受信手段にて前記送信メッセージを受信すると、この送信メッセージを送信メールとして、前記携帯電話機に発信させるメール送信制御手段とを有することを特徴とする請求項５記載の携帯電話アダプタ。
【発明の詳細な説明】
【技術分野】
【０００１】
本発明は、例えば病院等の院内で、携帯電話機の代わりに付与されるＰＨＳ等の内線無線端末と同携帯電話機とを対応付け、同携帯電話機へのメール着信が発生したとしても、この携帯電話機に対応した内線無線端末で、そのメール内容を認識することができるメッセージ配信システム及び携帯電話アダプタに関する。
【背景技術】
【０００２】
近年、携帯電話機は広く普及しているが、例えば病院等の院内では携帯電話機の電波が医療機器に障害を起こす虞があるといわれている。
【０００３】
そこで、近年、病院側では、例えば病院の受付等で携帯電話機を預け、その携帯電話機の代わりに医療機器に影響を及ぼさない電波を使用するＰＨＳを与え、院内では来訪者にＰＨＳを使用してもらうようなシステムが知られている。
【０００４】
このようなシステムを構築するために出願人は特許文献１の技術を出願している。次に説明するシステムは、同技術内容を応用した病院内の通信システムである。
【０００５】
では、このような従来の院内における通信システムについて説明する。図４は同通信システム内部の概略構成を示すブロック図である。
【０００６】
図４に示す通信システム１００は、例えば病院内に配置されるシステムであって、ユーザ個人の携帯電話機１１０と、この携帯電話機１１０を有線接続する電話置き台１２１を備えた携帯電話アダプタ１２０と、携帯電話機１１０毎に携帯電話アダプタ１２０との局線インタフェースを司る局線トランク（以下、単にＣＯＴと称する）１３１と、電話網１４０と通信接続する一般ＣＯＴ１３２と、院内で使用するＰＨＳ１５０と、ＰＨＳ１５０と無線接続する内線基地局１６０と、この内線基地局１６０の無線インタフェースを司る基地局インタフェース（以下、単にＤＲＩＦと称する）１３３と、これらＣＯＴ１３１、一般ＣＯＴ１３２及びＤＲＩＦ１３３間を交換接続する構内交換機１３０とを有している。
【０００７】
この通信システム１００によれば、例えば外部公衆網から携帯電話機１１０への音声着信を検出すると、同音声着信を携帯電話アダプタ１２０、ＣＯＴ１３１、構内交換機１３０、ＤＲＩＦ１３３及び内線基地局１６０を経由して、この携帯電話機１１０のユーザが使用するＰＨＳ１５０に音声着信を行うようにしたので、携帯電話機１１０のユーザは、院内であっても、外部公衆網から携帯電話機１１０への音声着信をＰＨＳ１５０で応答することができる。
【特許文献１】特開２０００−１３４２８７号公報
【発明の開示】
【発明が解決しようとする課題】
【０００８】
近年、携帯電話機１１０を使用したメール機能は広く普及している。
【０００９】
しかしながら、上記従来の通信システム１００によれば、外部公衆網から携帯電話機１１０への音声着信については同携帯電話機１１０に対応したＰＨＳ１５０に音声着信を転送するようにしたが、携帯電話機１１０へメール着信までは同ＰＨＳ１５０に転送することができないため、院内においてＰＨＳ１５０のユーザは、自分の携帯電話機１１０にメール着信があったことすらも認識することができない。
【００１０】
本発明は上記点に鑑みてなされたものであり、その目的とするところは、携帯電話機（携帯電話機）毎に付与されたＰＨＳ（内線無線端末）等に、同携帯電話機へのメール着信を通知することができるメッセージ配信システム及び携帯電話アダプタを提供することにある。
【課題を解決するための手段】
【００１１】
上記目的を達成するために本発明のメッセージ配信システムは、携帯電話機と有線接続可能とする携帯電話アダプタと、内線無線端末を無線接続する内線基地局と、これら携帯電話アダプタ及び内線基地局を有線接続する構内交換機と、前記携帯電話アダプタとＬＡＮ接続すると共に、前記内線基地局及び構内交換機を通じて前記内線無線端末からブラウジングアクセス可能とするメッセージ配信装置とを有し、前記携帯電話アダプタは、前記携帯電話機への受信メールの着信を検出すると、前記ＬＡＮを通じて、前記受信メールを前記メッセージ配信装置に伝送する機能を有し、前記メッセージ配信装置は、前記携帯電話アダプタを通じて前記携帯電話機への受信メールを検出すると、同受信メール内容を受信メッセージとしてメッセージ記憶手段に記憶すると共に、前記構内交換機及び前記内線基地局を通じて、前記受信メッセージに関わる携帯電話機に対応した内線無線端末にメール着信通知を通知する機能と、前記内線基地局及び前記構内交換機を通じて、前記内線無線端末からのブラウジングアクセスを検出すると、この内線無線端末にて、前記メッセージ記憶手段に記憶済みの前記メール着信通知に関わる受信メッセージとのブラウジング上のアクセスを可能にした機能を有するようにした。
【００１２】
本発明のメッセージ配信システムは、前記メッセージ配信装置が、前記ブラウジング上で、前記内線無線端末にて前記メッセージ記憶手段に記憶済みの受信メッセージとアクセスすることで返信メッセージを作成し、この作成した返信メッセージを前記メッセージ記憶手段に記憶する機能と、このメッセージ記憶手段に返信メッセージを記憶すると、前記ＬＡＮを通じて、前記返信メッセージを前記携帯電話アダプタに伝送する機能とを有し、前記携帯電話アダプタは、前記メッセージ配信装置からの返信メッセージを受信すると、この返信メッセージに関わる携帯電話機に、同返信メッセージを返信メールとして発信させる機能を有するようにした。
【００１３】
本発明のメッセージ配信システムは、前記メッセージ配信装置は、前記内線無線端末からのブラウジングアクセスを検出すると、この内線無線端末にて前記ブラウジング上で、宛先メールアドレスを含む送信メッセージを作成可能とし、この送信メッセージを前記メッセージ記憶手段に記憶する機能と、このメッセージ記憶手段に送信メッセージを記憶すると、前記ＬＡＮを通じて、前記送信メッセージを前記携帯電話アダプタに伝送する機能とを有し、前記携帯電話アダプタは、前記メッセージ配信装置からの送信メッセージを受信すると、この送信メッセージに関わる携帯電話機に、同送信メッセージに含まれる宛先メールアドレスに基づいて、同送信メッセージを送信メールとして発信させる機能を有するようにした。
【００１４】
本発明のメッセージ配信システムは、前記メッセージ配信装置が、前記携帯電話機毎に有線接続する、前記携帯電話アダプタ内の接続ポート毎に付与されたポート番号と、前記内線無線端末毎に付与された内線番号とで、前記携帯電話機及び前記内線無線端末を対応付けて記憶管理する機能を有するようにした。
【００１５】
上記目的を達成するために本発明の携帯電話アダプタは、携帯電話機を有線接続可能とし、この携帯電話機との音声通信を伝送する音声通信伝送手段を有する携帯電話アダプタであって、前記携帯電話機への受信メールの着信を検出する受信メール着信検出手段と、この受信メール着信検出手段にて前記携帯電話機への受信メールの着信を検出すると、この検出した受信メールを他の通信端末に伝送する受信メール伝送手段とを有するようにした。
【００１６】
また、本発明の携帯電話アダプタは、前記他の通信端末からの送信メッセージを受信する送信メッセージ受信手段と、この送信メッセージ受信手段にて前記送信メッセージを受信すると、この送信メッセージを送信メールとして、前記携帯電話機に発信させるメール送信制御手段とを有するようにした。
【発明の効果】
【００１７】
上記のように構成された本発明のメッセージ配信システムによれば、携帯電話機への受信メールの着信を検出すると、携帯電話アダプタ及びＬＡＮを経由して、同受信メール内容を受信メッセージとしてメッセージ配信装置内部のメッセージ記憶手段に記憶し、この受信メッセージに関わる携帯電話機に対応した内線無線端末にメール着信通知を通知するようにしたので、内線無線端末のユーザは、携帯電話機のそばにいなくても、携帯電話機へのメール着信が発生したことを認識することができる。
【００１８】
さらに本発明のメッセージ配信システムによれば、内線無線端末から、前記メッセージ記憶手段に記憶済みのメール着信通知に関わる受信メッセージのブラウジング上のアクセスを可能にしたので、内線無線端末のユーザは、携帯電話機のそばにいなくても、ブラウジング上で携帯電話機のメール着信内容を認識することができる。
【００１９】
本発明のメッセージ配信システムによれば、内線無線端末からブラウジング上でメッセージ記憶手段に記憶済みの受信メッセージにアクセスすることで返信メッセージを作成し、この返信メッセージをメッセージ記憶手段に記憶し、この返信メッセージをＬＡＮ及び携帯電話アダプタを通じて携帯電話機に伝送し、この携帯電話機から返信メッセージを相手先に返信するようにしたので、内線無線端末のユーザは、携帯電話機のそばにいなくても、遠隔で同携帯電話機への着信メールに対して返信することができる。
【００２０】
本発明のメッセージ配信システムによれば、内線無線端末から、ブラウジング上で宛先メールアドレスを含む送信メッセージを作成可能とし、この送信メッセージを前記メッセージ記憶手段に記憶し、この送信メッセージをＬＡＮ及び携帯電話アダプタを通じて携帯電話機に伝送し、この携帯電話機から送信メッセージを発信するようにしたので、内線無線端末のユーザは、携帯電話機のそばにいなくても、遠隔で同携帯電話機から送信メールを発信することができる。
【００２１】
本発明のメッセージ配信システムによれば、前記メッセージ配信装置が、前記携帯電話機毎に有線接続する、前記携帯電話アダプタ内の接続ポート毎に付与されたポート番号と、前記内線無線端末毎に付与された内線番号とで、前記携帯電話機及び前記内線無線端末を対応付けて記憶管理するようにしたので、メッセージ配信装置では、携帯電話機に対応した内線無線端末、若しくは内線無線端末に対応した携帯電話機を認識することができる。
【００２２】
また、上記のように構成された本発明の携帯電話アダプタによれば、有線接続した携帯電話機への受信メールの着信を検出すると、携帯電話機への受信メールを他の通信端末に伝送するようにしたので、他の通信端末のユーザは、携帯電話機のそばにいなくても、同携帯電話機への受信メールを認識することができる。
【００２３】
本発明の携帯電話アダプタによれば、他の通信端末からの送信メッセージを受信すると、この送信メッセージを送信メールとして携帯電話機に発信させるようにしたので、他の通信端末のユーザは、携帯電話機のそばにいなくても、携帯電話機から送信メールを発信することができる。
【発明を実施するための最良の形態】
【００２４】
以下、図面に基づいて本発明の実施の形態を示すメッセージ配信システムについて説明する。図１は本実施の形態を示すメッセージ配信システム内部の概略構成を示すブロック図である。
【００２５】
図１に示すメッセージ配信システム１は、例えば病院等の院内に配置され、ユーザ個人の携帯電話機２と、この携帯電話機２を有線接続する電話置き台３を備えた携帯電話アダプタ４と、この携帯電話アダプタ４内の携帯電話機２の電話置き台４毎に有線接続する１次群インタフェース（以下、単にＰＲＩと称する）５と、携帯電話機２毎に付与されるＰＨＳ６と、院内のＰＨＳ６と無線接続する内線基地局７と、この内線基地局７とのインタフェースを司るＤＲＩＦ８と、携帯電話機２及びＰＨＳ６間のメッセージ配信機能を司るメッセージゲートウェイ（以下、単にメッセージＧＷと称する）９と、このメッセージＧＷ９とのインタフェースを司るＧＷインタフェース（以下、単にＧＷ側ＩＢＬＣと称する）１０と、ＬＡＮ１１と接続するターミナルアダプタ（以下、単にＴＡＰと称する）１２と、このＴＡＰ１２とのインタフェースを司るＴＡＰインタフェース（以下、単にＴＡＰ側ＩＢＬＣと称する）１３と、ＰＲＩ５、ＤＲＩＦ８、ＧＷ側ＩＢＬＣ１０及びＴＡＰ側ＩＢＬＣ１３間を交換接続する構内交換機１４とを有し、携帯電話アダプタ４、メッセージＧＷ９及びＴＡＰ１２間はＬＡＮ１１で構築されているものとする。
【００２６】
携帯電話機２のユーザは、例えば病院の受付等で同携帯電話機２を預け、その代わりに院内で使用可能とするＰＨＳ６が付与されるものとする。さらに病院の受付等で預けられた同携帯電話機２は、携帯電話アダプタ４内の電話置き台３に配置されるものとする。
【００２７】
また、ＰＨＳ６は、内線基地局７、ＤＲＩＦ８、構内交換機１４、ＴＡＰ側ＩＢＬＣ１３及びＴＡＰ１２を通じてＬＡＮ１１経由でメッセージＧＷ９へのブラウジングアクセスを可能としている。
【００２８】
図２は携帯電話アダプタ４内部の概略構成を示すブロック図である。
【００２９】
図２に示す携帯電話アダプタ４は、電話置き台３毎に配置され、同電話置き台３と有線接続する接続ポート２１と、同接続ポート２１毎に配置され、同接続ポート２１の電話置き台３に配置された携帯電話機２との音声やメール等の通信インタフェースを司る電話インタフェース２２と、各接続ポート２１を通じて、各電話置き台３に配置された携帯電話機２への充電電力を通電する電力供給部２３と、電話インタフェース２２及びＰＲＩ５間の音声通信に関わる様々なインタフェースを司る音声通信処理部２４と、電話インタフェース２２及びＬＡＮ１１間のメール通信に関わる様々なインタフェースを司るメール通信処理部２５とを有している。
【００３０】
電話インタフェース２２は、携帯電話機２の音声通信に使用する音声通信部２２Ａと、携帯電話機２の音声通信の呼制御に使用する呼制御部２２Ｂと、携帯電話機２のメール通信に使用するメール処理部２２Ｃとを有している。
【００３１】
電話インタフェース２２の音声通信部２２Ａは、通信線２６を通じて音声通信処理部２４と通信接続するものである。電話インタフェース２２の呼制御部２２Ｂは、呼制御バス２７及び呼制御線２８を通じて音声通信処理部２４と通信接続するものである。
【００３２】
電話インタフェース２２のメール処理部２２Ｃは、メール制御バス２９を通じてメール通信処理部２５と通信接続するものである。
【００３３】
尚、電話インタフェース２２のメール処理部２２Ｃでは、使用する接続ポート２１毎にポート番号が予め付与され、同接続ポート２１を経て受信メールを受信すると、同受信メールに同ポート番号を付すものとする。
【００３４】
また、電力供給部２３は、電話置き台３に配置された携帯電話機２に電力を供給し、同携帯電話機２を充電するものである。
【００３５】
メール通信処理部２５は、ＬＡＮ１１とのインタフェースを司るＬＡＮインタフェース３１と、電話インタフェース２２を通じて、各接続ポート２１の電話置き台３に配置された携帯電話機２への受信メールの着信を監視する受信メール監視部３２と、この受信メール監視部３２にて受信メールの着信を検出すると、同携帯電話機２の受信メールを受信する受信メール受信部３３と、この受信メール受信部３３にて同携帯電話機２への受信メールを受信すると、ＬＡＮインタフェース３１を通じて同受信メールをメッセージＧＷ９に転送する受信メール転送部３４と、ＬＡＮインタフェース３１を通じてメッセージＧＷ９からの送信メッセージを受信する送信メッセージ受信部３５と、この送信メッセージ受信部３５にて受信した送信メッセージを送信メールとして携帯電話機２に発信させる送信メール送出部３６とを有している。
【００３６】
受信メール監視部３２及び受信メール受信部３３では、電話インタフェース２２のメール処理部２２Ｃにて受信メールに付与されたポート番号に基づいて、どの接続ポート、すなわち、どの電話置き台３に有線接続した携帯電話機２への受信メールであるかを認識するものである。
【００３７】
また、送信メッセージ受信部３５では、メッセージＧＷ９にて送信メッセージに付与されたポート番号に基づいて、同送信メッセージを送信メールとして、どの接続ポート、すなわち、どの電話置き台３に有線接続した携帯電話機２を送信するかを認識するものとする。
【００３８】
また、送信メール送出部３６は、メッセージＧＷ９から送信メッセージに含まれる送信先メールアドレスに基づいて携帯電話機２に送信メールを送信させるものである。
【００３９】
図３はメッセージＧＷ９内部の概略構成を示すブロック図である。
【００４０】
図３に示すメッセージＧＷ９は、ＬＡＮ１１とのインタフェースを司るＧＷ側ＬＡＮインタフェース４１と、携帯電話機２及びＰＨＳ６を対応付けるべく、同携帯電話機２と有線接続する電話置き台３の接続ポート２１を識別するポート番号及び、ＰＨＳ６を識別するＰＨＳ番号を記憶管理する番号管理テーブル４２と、ＧＷ側ＬＡＮインタフェース４１を通じて携帯電話アダプタ４から、携帯電話機２への受信メールを受信するＧＷ側受信メール受信部４３と、このＧＷ側受信メール受信部４３にて受信した受信メールに付与されたポート番号を検出するポート番号検出部４４と、このポート番号検出部４４にて検出したポート番号に対応するＰＨＳ番号を番号管理テーブル４２から検索すると共に、様々な受信メッセージに関わる制御動作を実行する受信メッセージ制御部４５と、この受信メッセージ制御部４５にてポート番号に対応したＰＨＳ番号を検索すると、このＰＨＳ番号に対応したＰＨＳ６に同携帯電話機２への受信メール着信発生を通知する受信メール着信通知部４６と、ＧＷ側ＩＢＬＣ１０とのインタフェースを司るＩＢＬＣインタフェース４７と、ＧＷ側ＬＡＮインタフェース４１を通じてＰＨＳ６からのブラウジングアクセスを検出すると、ブラウジング上で受信メッセージや送信メッセージを作成するブラウジングメッセージ制御部４８と、このブラウジングメッセージ制御部４８にてブラウジング上で送信メッセージを作成すると、この送信メッセージを作成したＰＨＳ６のＰＨＳ番号に対応するポート番号を番号管理テーブル４２から検索すると共に、様々な送信メッセージに関わる制御動作を実行する送信メッセージ制御部４９と、この送信メッセージ制御部４９にてＰＨＳ番号に対応したポート番号を検索すると、このポート番号に対応した携帯電話機２にブラウジング上で作成した送信メッセージを伝送すべく、ＧＷ側ＬＡＮインタフェース４１を通じて同送信メッセージを携帯電話アダプタ４に伝送する送信メッセージ伝送部５０とを有している。
【００４１】
番号管理テーブル４２は、携帯電話アダプタ４内の接続ポート２１毎に付与されたポート番号と、ＰＨＳ６毎に付与されたＰＨＳ番号とで、接続ポート２１に対応した電話置き台３に配置された携帯電話機２と、同携帯電話機２に対応したＰＨＳ６とを対応付けて記憶管理するものである。
【００４２】
ブラウジングメッセージ制御部４８は、ＧＷ側受信メール受信部４３にて携帯電話機２への受信メールを受信すると、この受信メールをブラウジング上でアクセス可能とする受信メッセージに変換する受信メッセージ変換部５１と、この受信メッセージ変換部５１にて変換した受信メッセージを記憶するメッセージ記憶部５２と、ＧＷ側ＬＡＮインタフェース４１を通じてＰＨＳ６からのブラウジングアクセスを検出するブラウジングアクセス検出部５３と、ブラウジングアクセスを検出すると、同ブラウジングアクセスに関わるＰＨＳ６のＰＨＳ番号を検出するＰＨＳ番号検出部５４と、このＰＨＳ番号検出部５４にて検出したＰＨＳ番号に対応したメッセージ記憶部５２に記憶中の受信メッセージをブラウジング上で読み出す受信メッセージ読出部５５と、ＰＨＳ６にて同ブラウジング上で読み出した受信メッセージを返信メッセージとして編集する返信メッセージ作成部５６と、ＰＨＳ６にて同ブラウジング上で送信メッセージを作成する送信メッセージ作成部５７とを有している。
【００４３】
受信メッセージ変換部５１は、ＧＷ側受信メール受信部４３にて受信メッセージを受信すると、同受信メール着信の携帯電話機２の接続ポート２１を示すポート番号、同携帯電話機２に対応したＰＨＳ６のＰＨＳ番号、受信メッセージ、受信メールの発信先メールアドレスをメッセージ記憶部５２に記憶するものである。
【００４４】
返信メッセージ作成部５６は、ＰＨＳ６からブラウジング上でメッセージ記憶部５２に記憶中の受信メッセージに対する返信メッセージを編集すると、ポート番号及びＰＨＳ番号、発信先メールアドレスの他に、同返信メッセージをメッセージ記憶部５２に記憶するものである。
【００４５】
送信メッセージ作成部５７は、ＰＨＳ６からブラウジング上で送信メッセージを作成し、さらに送信メッセージの送信先メールアドレスを入力すると、同ＰＨＳ６に対応したＰＨＳ番号、このＰＨＳ６に対応した携帯電話機２の接続ポート２１を示すポート番号、送信メッセージ及び送信先メールアドレスを対応付けてメッセージ記憶部５２に記憶するものである。
【００４６】
携帯電話アダプタ４は、外部公衆網からの携帯電話機２の音声着信を検出すると、ＰＲＩ５、構内交換機１４、ＤＲＩＦ８及び内線基地局７を経由して、同音声着信を、この携帯電話機２に対応したＰＨＳ６に転送するものである。
【００４７】
また、ＰＨＳ６は、このＰＨＳ６に対応した携帯電話機２の受信メールを確認する場合、内線基地局７、ＤＲＩＦ８、構内交換機１４及びＴＡＰ側ＩＢＬＣ１３経由でＴＡＰ１２に通信接続し、このＴＡＰ１２を通じてＬＡＮ１１経由でメッセージＧＷ９にブラウジングアクセスを実行し、メッセージＧＷ９のブラウジング上で受信メッセージを読み出すものである。
【００４８】
また、ＰＨＳ６は、同ＰＨＳ６から送信メールを発信する場合、ＴＡＰ１２を通じてＬＡＮ１１経由でメッセージＧＷ９にブラウジングアクセスし、ブラウジング上で送信メッセージを作成し、この送信メッセージをＬＡＮ１１経由で携帯電話アダプタ４に伝送し、この携帯電話アダプタ４を通じて受信した送信メッセージを送信メールとして携帯電話機２から発信するものである。
【００４９】
尚、請求項記載の内線無線端末はＰＨＳ６、メッセージ配信装置はメッセージＧＷ９、メッセージ記憶手段はメッセージ記憶部５２、音声通信伝送手段は電話インタフェース２２内の音声通信部２２Ａ及び音声通信処理部２４、受信メール着信検出手段は電話インタフェース２２内のメール処理部２２Ｃ及びメール通信処理部２５内の受信メール監視部３２、受信メール伝送手段はメール通信処理部２５内の受信メール受信部３３及び受信メール転送部３４、送信メッセージ受信手段はメール通信処理部２５内の送信メッセージ受信部３５、メール送信制御手段はメール通信処理部２５内の送信メール送出部３６に相当するものである。
【００５０】
次に本実施の形態を示すメッセージ配信システム１の動作について説明する。
【００５１】
まずは、携帯電話機２のユーザは、病院の受付等で携帯電話機２の代わりにＰＨＳ６を提供してもらう。この際、携帯電話機２は電話置き台３に配置されるため、同電話置き台３のポート番号に対応したＰＨＳ番号のＰＨＳ６が携帯電話機２のユーザに与えられることになる。尚、携帯電話アダプタ４の電力供給部２３は、同電話置き台３に配置された携帯電話機２に電力を充電し、同電話置き台３に配置された携帯電話機２は待ち受け状態であるものとする。
【００５２】
まずは、携帯電話機２への音声着信時における動作について説明する。
【００５３】
携帯電話アダプタ４の電話インタフェース２２は、電話置き台３に配置された携帯電話機２への音声着信を検出すると、音声通信部２２Ａ、通信線２６及び音声通信処理部２４を通じてＰＲＩ５に音声着信及び発信者番号を通知する。
【００５４】
さらに、ＰＲＩ５は、同音声着信を検出すると、同携帯電話機２を配置した電話置き台２の接続ポート２１に対応したＰＨＳ６に着信転送すべく、構内交換機１４、ＤＲＩＦ８及び内線基地局７を経由して、同ＰＨＳ６に音声着信及び発信者番号を転送する。
【００５５】
ＰＨＳ６では、着信転送を検出すると、同音声着信に関わる発信者番号を表示し、同着信応答することで、携帯電話機２への音声着信に応答することができる。
【００５６】
従って、同携帯電話機２に対応したＰＨＳ６のユーザは、例えば外部公衆網から携帯電話機２への音声着信が発生したとしても、同音声着信に関わる発信者番号を認識することができると共に、同携帯電話機２への音声着信に応答することができる。
【００５７】
次にＰＨＳ６からの音声発信時における動作について説明する。
【００５８】
構内交換機１４は、内線基地局７及びＤＲＩＦ８を通じて、ＰＨＳ６からの局線発信特番＋相手先番号のダイヤル操作を検出すると、同ＰＨＳ６に対応したＰＲＩ５を捕捉する。
【００５９】
さらにＰＲＩ５は、ＰＨＳ６からの相手先番号を検出すると、同ＰＲＩ５に対応した電話インタフェースを通じて携帯電話機２に、電話置き台３を通じて相手先番号を通知する。
【００６０】
携帯電話機２は、相手先番号を検出すると、同相手先番号に基づいて音声発信動作を実行する。
【００６１】
ＰＨＳ６は、内線基地局７、ＤＲＩＦ８、構内交換機１４、ＰＲＩ５及び携帯電話アダプタ４を経由して、携帯電話機２から相手先に音声発信を行うことになる。この際、相手先の端末では、携帯電話機２の発信者番号が通知されることになる。
【００６２】
従って、同携帯電話機２に対応したＰＨＳ６のユーザは、外部公衆網に対して音声発信する場合であっても、携帯電話機２のそばにいなくても、あたかも携帯電話機２から音声発信を行っているかの如く、同ＰＨＳ６から音声発信を行うことができる。
【００６３】
次に携帯電話機２への受信メール着信時における動作について説明する。
【００６４】
携帯電話アダプタ４の電話インタフェース２２は、電話置き台３に配置された携帯電話機２への受信メールの着信を検出する。
【００６５】
携帯電話アダプタ４内のメール通信処理部２５は、受信メール監視部３２にて各電話置き台３に配置された携帯電話機２への受信メールの着信を監視している。
【００６６】
受信メール受信部３３は、受信メール監視部３２にて携帯電話機２への受信メールの着信を検出すると、同携帯電話機２の受信メールを受信し、この受信メールを受信メール転送部３４に伝送する。尚、受信メールには、メール処理部２２Ｃにて接続ポートを識別するポート番号が付与されているものとする。
【００６７】
受信メール転送部３４は、受信メール受信部３３にて受信メールを受信すると、同受信メールを、ＬＡＮインタフェース３１を通じてＬＡＮ１１経由でメッセージＧＷ９に伝送する。
【００６８】
メッセージＧＷ９のＧＷ側受信メール受信部４３は、ＧＷ側ＬＡＮインタフェース４１を通じて、携帯電話アダプタ４による携帯電話機２への受信メールを受信すると、同受信メールをポート番号検出部４４に伝送すると共に、ブラウザメッセージ制御部４８内の受信メッセージ変換部５１に伝送する。
【００６９】
ポート番号検出部４４は、同受信メールに含まれる接続ポート２１のポート番号を検出し、同検出したポート番号を受信メッセージ制御部４５に伝送する。
【００７０】
受信メッセージ制御部４５は、ポート番号検出部４５にて検出したポート番号に対応するＰＨＳ番号を番号管理テーブル４２から検索し、このＰＨＳ番号を受信メール着信通知部４６に伝送する。
【００７１】
受信メール着信通知部４６は、ＩＢＬＣインタフェース４７を通じて、ＰＨＳ番号に基づいて同ＰＨＳ６に対して、同ＰＨＳ６に対応した携帯電話機２への受信メールが着信したことを示す受信メール着信通知をＧＷ側ＩＢＬＣ１０に伝送する。
【００７２】
ＧＷ側ＩＢＬＣ１０は、構内交換機１４、ＤＲＩＦ８及び内線基地局７を経由して、ＰＨＳ番号に対応したＰＨＳ６に受信メール着信通知を伝送することになる。
【００７３】
ＰＨＳ６のユーザは、同受信メール着信通知に基づいて、自分の携帯電話機２に受信メールの着信があったことを認識することができる。
【００７４】
さらにＰＨＳ６のユーザは、同受信メールの内容を確認する場合、内線基地局７、ＤＲＩＦ８、構内交換機１４及びＴＡＰ側ＩＢＬＣ１３を経由してＴＡＰ１２との通信動作を実行し、ＴＡＰ１２を通じてＬＡＮ１１経由でのメッセージＧＷ９とブラウジングアクセスを行うことになる。
【００７５】
メッセージＧＷ９のブラウザメッセージ制御部４８では、ブラウジングアクセス検出部５３を通じて、ＧＷ側ＬＡＮインタフェース４１を経由してＰＨＳ６からのブラウジングアクセスを検出すると、ＰＨＳ番号検出部５４を通じて、同ブラウジングアクセスしたＰＨＳ６のＰＨＳ番号を検出する。
【００７６】
ブラウザメッセージ制御部４８は、同ＰＨＳ６のブラウジングアクセスが受信メッセージの読み出しであると判定されると、受信メッセージ読出部５５を通じて、同ＰＨＳ番号に対応した受信メッセージをメッセージ記憶部５２からブラウジング上でＰＨＳ６に提供する。
【００７７】
ＰＨＳ６のユーザは、ブラウジング上で受信メッセージの内容、すなわち携帯電話機２に着信した受信メールの内容を視認することができる。
【００７８】
次に同ＰＨＳ６にて視認した受信メールに対する返信メールの返信時における動作について説明する。
【００７９】
ブラウザメッセージ制御部４８は、同ＰＨＳ６にて視認中の受信メールに対する返信操作が実行されると、返信メッセージの作成と判断し、返信メッセージ作成部５６を通じて、同受信メッセージに対する返信メッセージをブラウジング上で作成し、同作成した返信メッセージをメッセージ記憶部５２に記憶する。尚、同返信メッセージには、返信先の宛先メールアドレスも含まれている。
【００８０】
送信メッセージ制御部４９は、同返信メッセージ作成部５６を通じて返信メッセージの作成が完了し、同返信メッセージをメッセージ記憶部５２に記憶すると、同返信メッセージを作成したＰＨＳ６のＰＨＳ番号に対応したポート番号を番号管理テーブル４２から検索する。
【００８１】
送信メッセージ制御部４９は、この検索した同ＰＨＳ番号に対応したポート番号を送信メッセージ伝送部５０に伝送する。
【００８２】
送信メッセージ伝送部５０は、メッセージ記憶部５２にて記憶した同ＰＨＳ６の返信メッセージを読み出し、同返信メッセージにポート番号を付し、ＧＷ側ＬＡＮインタフェース４１を通じてＬＡＮ１１経由で携帯電話アダプタ４に伝送する。
【００８３】
携帯電話アダプタ４のメール通信処理部２５の送信メッセージ受信部３５は、ＬＡＮインタフェース３１を通じてメッセージＧＷ９からの返信メッセージを受信する。さらに、送信メール送出部３６は、送信メッセージ受信部３５にて受信した返信メッセージに含まれるポート番号を検出し、同ポート番号に対応した接続ポート２１の電話置き台３に配置された携帯電話機２に対して、同返信メッセージに含まれる送信先メールアドレスへの返信メッセージを返信メールとして送信動作を実行させる。
【００８４】
つまり、ＰＨＳ６では、ブラウジング上で携帯電話機２への受信メールに対応した受信メッセージを視認し、同ブラウジング上で同受信メッセージに対応した返信メッセージを作成し、同返信メッセージを返信メールとして返信することができる。
【００８５】
次にＰＨＳ６から送信メール送信時における動作について説明する。
【００８６】
ＰＨＳ６のユーザは、他の通信端末に対して送信メールを送信する場合、内線基地局７、ＤＲＩＦ８、構内交換機１４及びＴＡＰ側ＩＢＬＣ１３を経由してＴＡＰ１２との通信動作を実行し、ＴＡＰ１２を通じてＬＡＮ１１経由でのメッセージＧＷ９とブラウジングアクセスを行うことになる。
【００８７】
メッセージＧＷ９のブラウザメッセージ制御部４８では、ブラウジングアクセス検出部５３を通じて、ＧＷ側ＬＡＮインタフェース４１を経由してＰＨＳ６からのブラウジングアクセスを検出すると、ＰＨＳ番号検出部５４を通じて同ブラウジングアクセスしたＰＨＳ６のＰＨＳ番号を検出する。
【００８８】
ブラウザメッセージ制御部４８は、同ＰＨＳ６のブラウジングアクセスが送信メッセージの作成であると判定されると、送信メッセージ作成部５７を通じて、同ＰＨＳ番号に対応した送信メッセージ作成画面をブラウジング上でＰＨＳ６に提供する。
【００８９】
ブラウザメッセージ制御部４８は、送信メッセージ作成部５７を通じて、同ＰＨＳ６にてブラウジング上で送信メッセージを作成すると共に、送信先の宛先メールアドレスを入力することで、これら送信メッセージ及び宛先メールアドレスをメッセージ記憶部５２に記憶する。
【００９０】
送信メッセージ制御部４９は、同送信メッセージ作成部５７を通じて送信メッセージの作成が完了し、同送信メッセージをメッセージ記憶部５２に記憶すると、同送信メッセージを作成したＰＨＳ６のＰＨＳ番号に対応したポート番号を番号管理テーブル４２から検索する。
【００９１】
送信メッセージ制御部４９は、この検索したポート番号を送信メッセージ伝送部５０に伝送する。送信メッセージ伝送部５０は、メッセージ記憶部５２にて記憶した同ＰＨＳ６の送信メッセージを読み出し、同送信メッセージにポート番号を付し、ＧＷ側ＬＡＮインタフェース４１を通じてＬＡＮ１１経由で携帯電話アダプタ４に伝送する。
【００９２】
携帯電話アダプタ４のメール通信処理部２５の送信メッセージ受信部３５は、ＬＡＮインタフェース３１を通じてメッセージＧＷ９からの送信メッセージを受信する。さらに、送信メール送出部３６は、送信メッセージ受信部３５にて受信した返信メッセージに含まれるポート番号を検出し、同ポート番号に対応した接続ポート２１の電話置き台３に配置された携帯電話機２に対して、同送信メッセージに含まれる送信先メールアドレスへの送信メッセージを送信メールとして送信動作を実行させる。
【００９３】
つまり、ＰＨＳ６では、メッセージＧＷ９のブラウジング上で送信メッセージを作成し、同送信メッセージを送信メールとして所望の送信先に携帯電話機２を通じて送信することができる。
【００９４】
本実施の形態によれば、携帯電話機２への受信メールの着信を検出すると、携帯電話アダプタ４及びＬＡＮ１１を経由して、同受信メール内容を受信メッセージとしてメッセージＧＷ９内部のメッセージ記憶部５２に記憶し、この受信メッセージに関わる携帯電話機２に対応したＰＨＳ６にメール着信通知を通知するようにしたので、ＰＨＳ６のユーザは、携帯電話機２のそばにいなくても、携帯電話機２へのメール着信が発生したことを認識することができる。
【００９５】
本実施の形態によれば、ＰＨＳ６から、メッセージ記憶部５２に記憶済みのメール着信通知に関わる受信メッセージをブラウジング上でアクセス可能にしたので、ＰＨＳ６のユーザは、携帯電話機２のそばにいなくても、ブラウジング上で携帯電話機２のメール着信内容を認識することができる。
【００９６】
本実施の形態によれば、ＰＨＳ６からブラウジング上でメッセージ記憶部５２に記憶済みの受信メッセージにアクセスすることで返信メッセージを作成し、この返信メッセージをメッセージ記憶部５２に記憶し、同返信メッセージをＬＡＮ１１及び携帯電話アダプタ４を通じて携帯電話機２に伝送し、この携帯電話機２から返信メッセージを相手先に返信するようにしたので、ＰＨＳ６のユーザは、携帯電話機２のそばにいなくても、遠隔で同携帯電話機２への着信メールに対して返信することができる。
【００９７】
本実施の形態によれば、ＰＨＳ６から、ブラウジング上で宛先メールアドレスを含む送信メッセージを作成可能とし、この送信メッセージをメッセージ記憶部５２に記憶し、この送信メッセージをＬＡＮ１１及び携帯電話アダプタ４を通じて携帯電話機２に伝送し、この携帯電話機２から送信メッセージを発信するようにしたので、ＰＨＳ６のユーザは、携帯電話機２のそばにいなくても、遠隔で同携帯電話機２から送信メールを発信することができる。
【００９８】
本実施の形態によれば、携帯電話機２毎に有線接続する、携帯電話アダプタ４内の接続ポート２１毎に付与されたポート番号と、ＰＨＳ６毎に付与されたＰＨＳ番号とで、携帯電話機２及びＰＨＳ６を対応付けて記憶管理するようにしたので、メッセージＧＷ９では、携帯電話機２に対応したＰＨＳ６、若しくはＰＨＳ６に対応した携帯電話機２を認識することができる。
【００９９】
また、本実施の形態に関わる携帯電話アダプタ４によれば、有線接続した携帯電話機２への受信メールの着信を検出すると、携帯電話機２への受信メールを他の通信端末に伝送するようにしたので、他の通信端末のユーザは、携帯電話機２のそばにいなくても、同携帯電話機２への受信メールを認識することができる。
【０１００】
本実施の形態によれば、他の通信端末からの送信メッセージを受信すると、この送信メッセージを送信メールとして携帯電話機２に発信させるようにしたので、他の通信端末のユーザは、携帯電話機２のそばにいなくても、携帯電話機２から送信メールを発信することができる。
【０１０１】
尚、上記実施の形態においては、病院等で使用するメッセージ配信システムについて説明したが、病院だけではなく、同携帯電話機２の持ち込みによって同携帯電話機２の電波の影響を受けやすい環境下や、例えば地下テナント等のように携帯電話機２の電波が届かない環境下においても、同メッセージ配信システムが適用可能であることは言うまでもない。
【０１０２】
また、上記実施の形態においては、携帯電話機２の代わりに使用する端末をＰＨＳ６を例に挙げて説明したが、例えば表示機能を備えた固定電話機等であっても同様の効果が得られることは言うまでもない。
【産業上の利用可能性】
【０１０３】
本発明のメッセージ配信システムによれば、例えば病院等のように携帯電話機の使用を禁止する施設等で同携帯電話機の代わりにＰＨＳ等の内線無線端末を付与するシステムにおいて、ＰＨＳのユーザが、携帯電話機のそばにいなくても、同携帯電話機へメール着信が発生したことを容易に認識することができるため、病院に限らず、同携帯電話機の持ち込みによって同携帯電話機の電波の影響をなくしたい環境下はもちろんのこと、例えば地下テナントのように携帯電話機の電波が届かない環境下においても、同メッセージ配信システムは有用である。
【０１０４】
また、本発明の携帯電話アダプタにおいても、同携帯電話機の持ち込みによって同携帯電話機の電波の影響をカットしたい環境下はもちろんのこと、例えば地下テナントのように携帯電話機の電波が届かない環境下においても、同携帯電話アダプタは有用である。
【図面の簡単な説明】
【０１０５】
【図１】本発明の実施の形態を示すメッセージ配信システム内部の概略構成を示すブロック図である。
【図２】本実施の形態を示すメッセージ配信システム内部の要部である携帯電話アダプタ内部の概略構成を示すブロック図である。
【図３】本実施の形態を示すメッセージ配信システム内部の要部であるメッセージＧＷ内部の概略構成を示すブロック図である。
【図４】従来の通信システム内部の概略構成を示すブロック図である。
【符号の説明】
【０１０６】
１  メッセージ配信システム
２  携帯電話機
４  携帯電話アダプタ
６  ＰＨＳ（内線無線端末）
９  メッセージＧＷ（メッセージ配信装置）
１１  ＬＡＮ
２２Ａ  音声通信部（音声通信伝送手段）
３２  受信メール監視部（受信メール着信検出手段）
３３  受信メール受信部（受信メール伝送手段）
３４  受信メール転送部（受信メール伝送手段）
３５  送信メッセージ受信部（送信メッセージ受信手段）
３６  送信メール送出部（メール送信制御手段）
５２  メッセージ記憶部（メッセージ記憶手段）
【図１】
2005184072.tif 000003
【図２】
2005184072.tif 000004
【図３】
2005184072.tif 000005
【図４】
2005184072.tif 000006